(57)【要約】【課題】  発光部からの光信号を常に適正な発信箇所から確実に送出可能とする。【解決手段】  器体２内でグリル庫１０の左右両側には、トッププレート３の裏面から垂下された支持片１４によって、赤外線の発光部１３が、器体２の前後方向での略中央位置で後ろ向きに支持されている。一方、器体２内での後壁１５には、排気口１２の真下で且つ発光部１３の真後ろに位置する反射板１６，１６が設けられて、発光部１３から発信された光信号を反射して方向転換させ、排気口１２を通して上向きに発信可能としている。【選択図】  図３
2005180828.tif 000002
【特許請求の範囲】
【請求項１】
加熱調理部を有して上面にトッププレートを設けた器体の内部に、前記加熱調理部の作動に応じて換気装置の連動信号を発信する発光部を設けた加熱調理器であって、
前記トッププレートの後方に、前記連動信号が通過可能な通過部を形成する一方、前記器体内に、前記発光部から発信された連動信号を反射させて前記通過部へ導く反射板を設けたことを特徴とする加熱調理器。
【請求項２】
加熱調理部を有して上面にトッププレートを設けた器体の内部に、前記加熱調理部の作動に応じて換気装置の連動信号を発信する発光部を設けた加熱調理器であって、
前記トッププレートの後方に、前記連動信号が通過可能な通過部を形成し、その通過部の下方に発光部を設置したことを特徴とする加熱調理器。
【請求項３】
トッププレートに排気口を形成したものにあっては、通過部を前記排気口とした請求項１または２に記載の加熱調理器。
【発明の詳細な説明】
【技術分野】
【０００１】
本発明は、加熱調理部を有して上面にトッププレートを設けた器体の内部に、加熱調理部の作動に応じて換気装置の連動信号を発信する発光部を設けたビルトインコンロ等の加熱調理器に関する。
【背景技術】
【０００２】
例えばビルトインコンロにおいては、加熱調理部としてこんろ部やグリル等を有して上面にトッププレートを設けた器体の内部に、赤外線発光素子等の発光部が設けられ、こんろ部等の使用に応じて発光部が光信号を発する。一方、この加熱調理器の上方には、換気装置としてファンを備えたレンジフードが設置されており、レンジフードの所定の位置に、加熱調理器からの光信号を受信する受光部が設けられて、受光部での光信号（連動信号）の受信によってファンモータが駆動制御されるようになっている。すなわち、使用者によるファンの作動スイッチの操作を必要とすることなく、加熱調理器の使用と連動して自動的にファンの回転が行われるようにしたものである。
【０００３】
しかし、加熱調理器での発光部が一箇所であると、光信号が使用者の体やこんろ部に載置される鍋等で遮断されてしまい、ファンの連動が確実に行えないことがある。そこで、特許文献１には、トッププレートの下方に発光部となる赤外線ＬＥＤを、各鍋載置部を避けるように４箇所配設することで、光信号が使用者の体や鍋等で遮断される確率を少なくして、通信の信頼性を高めるようにした加熱調理器が開示されている。
【０００４】
【特許文献１】特開２００３−１１４０２８号公報
【発明の開示】
【発明が解決しようとする課題】
【０００５】
ところが、特許文献１の発明でも光信号はトッププレートを通して発信されるため、トッププレート上での発信箇所に鍋からの噴きこぼれがあったり、ゴミや埃等の付着があったりすると、光信号の通過を阻止されてしまい、結局通信の信頼性は十分とは言えなかった。また、トッププレート上で必要な発信箇所の真下に発光部を設ける必要があるが、器体内の他の構成部の配置態様によっては発光部の設置ができないことがあり、この場合、発光部を設置できる範囲に発信箇所が制約を受け、適正な発信箇所が選択できなくなってしまう。
【０００６】
そこで、請求項１及び２に記載の発明は、内設した発光部からの連動信号を常に適正な発信箇所から確実に発信できる加熱調理器を提供することを目的としたものである。
【課題を解決するための手段】
【０００７】
上記目的を達成するために、請求項１に記載の発明は、トッププレートの後方に、連動信号が通過可能な通過部を形成する一方、器体内に、発光部から発信された連動信号を反射させて通過部へ導く反射板を設けたことを特徴とするものである。
上記目的を達成するために、請求項２に記載の発明は、トッププレートの後方に、連動信号が通過可能な通過部を形成し、その通過部の下方に発光部を設置したことを特徴とするものである。
請求項３に記載の発明は、請求項１または２の目的に加えて、トッププレートに排気口を形成したものにおいて、通過部を簡単に形成するために、通過部を排気口としたものである。
【発明の効果】
【０００８】
請求項１及び２に記載の発明によれば、発光部からの連動信号は後方の通過部から発信されるから、トッププレート上の汚れ等に影響を受けることがなく、確実に連動信号を発信して換気装置を連動させることができる。特に請求項１の発明では、器体内での発光部の設置位置に制約を受けるようなことがあっても、反射板を利用すれば通過部の位置を変更する必要がないため、常に適正な箇所から連動信号の発信が可能となる。
請求項３に記載の発明によれば、請求項１または２の効果に加えて、加熱調理器の既存の構成を利用して通過部を簡単に得ることができる。
【発明を実施するための最良の形態】
【０００９】
図１は、加熱調理器の一例であるビルトインコンロの平面図、図２はその正面図で、ビルトインコンロ１は、上方を開口した器体２に、トッププレート３を上方から嵌着した箱状を呈し、トッププレート３の上面で手前寄りの左右に、左こんろ部４、右こんろ部５を夫々設け、その左右のこんろ部４，５の間で後方寄りに小こんろ部６を設けている。また、器体２の内部中央には、前面に扉８を有したグリル７が備えられている。９，９・・は、加熱調理部となる夫々のこんろ部４〜６及びグリル７に対応して器体２の前面に設けられた点火ボタンである。
【００１０】
グリル７は、被調理物を収納して図示しないグリルバーナで加熱調理するグリル庫１０と、その後方に連設された排気ダクト１１とからなり、排気ダクト１１は、トッププレート３の後方中央部へ左右方向に並設された排気口１２，１２・・に先端を向けて開口されて、グリル庫１０内で発生した燃焼排ガスを器体２の外部へ排気可能としている。但し、この排気口１２は、排気ダクト１１の左右幅よりも左右方向へ長く形成されている。これは、ビルトインコンロ１の下方に設けたオーブンレンジ等の他の加熱調理器で発生した熱気や燃焼排ガス等を、ビルトインコンロ１の器体２を通して上方へ排気するためである。
【００１１】
そして、器体２内でグリル庫１０の左右両側には、赤外線の発光部１３，１３が設けられている。この発光部１３は、トッププレート３の裏面から垂下され、下端にＣ状リング１４ａを連設した支持片１４によって、図３にも示すように、器体２の前後方向での略中央位置で後ろ向きに把持されて、光信号（換気装置の連動信号）を器体２の後壁１５に向けて発信可能としたものである。なお、発光部１３は、赤外線駆動回路を介して器体２内の図示しないコントローラに電気的接続されており、点火ボタン９の何れかを点火操作すると、コントローラによる赤外線駆動回路の駆動制御で光信号を発信するようになっている。
【００１２】
一方、器体２内で後壁１５の前方位置には、反射板１６，１６が設けられている。この反射板１６は、表面を研磨加工した四角形の金属板で、排気ダクト１１よりも左右外側となる排気口１２，１２の真下に夫々位置すると共に、発光部１３の真後ろに夫々位置して、発光部１３から発信された光信号を反射して上向きに方向転換させる角度で後壁１５に固着されている。
【００１３】
以上の如く構成されたビルトインコンロ１においては、例えばこんろ部４〜６の何れかを使用する際に、対応する点火ボタン９を押し操作すると、こんろバーナへのガス供給路が開かれると共に、コントローラがこんろ部の点火電極を連続スパークさせてこんろバーナへ点火を行う。このこんろ部の点火と同時に、コントローラは赤外線駆動回路を動作させて発光部１３，１３から光信号を発信させる。すると、図３に点線で示すように、光信号Ｓは反射板１６，１６に当接して上方へ跳ね返り、そのまま通過部となる排気口１２，１２を通って上方へ送信される。ビルトインコンロ１の上方では、フォトダイオード等の受光部１８を有するレンジフード１７が設置されていることから、受光部１８がこの光信号を受信すると、ファンモータが駆動して換気装置としてのファン１９を回転させる。
【００１４】
このように上記形態のビルトインコンロ１によれば、トッププレート３の後方に、光信号が通過可能な排気口１２を形成する一方、器体２内に、発光部１３から発信された光信号を反射させて排気口１２へ導く反射板１６を設けたことで、発光部１３からの光信号は反射板１６を利用して後方の排気口１２から上向きに発信され、トッププレート３の汚れ等に影響を受けることがなく、確実に光信号を発信してファン１９を連動させることができる。また、器体２内での発光部１３の設置位置に制約を受けるようなことがあっても、反射板１６を利用すれば通過部となる排気口１２の位置を変更する必要がないため、常に適正な箇所から連動信号の発信が可能となる。
特に、通過部として排気口１２をそのまま利用しているから、ビルトインコンロ１の既存の構成を利用して通過部を簡単に得ることができる。
【００１５】
なお、反射板は一つに限らず、発光部や排気口、受光部の位置に合わせて複数設け、光信号を器体内で上下や左右方向に複数回反射させて通過部まで導くようにすることもできる。また、反射板は傾斜角度を調整可能に設けても良いし、形状も四角形以外に丸形や楕円等の他の形状も採用可能である。
逆に、器体の後壁に反射面を直接形成して後壁自体を反射板とし、光信号を後壁で直接上方に反射させることも可能である。
【００１６】
一方、上記形態では、反射板を利用して器体内の発光部からの光信号を通過部から発信させていたが、反射板を省略して、図４に示すように、トッププレート３の後方に形成した通過部（ここでは排気口１２）の下方に発光部１３を、例えば後壁１５に固定した支持片１４を介して設置し、発光部１３から直接排気口１２を介して光信号Ｓを上方へ発信させても良い。この場合も、光信号はトッププレート３の後方で上向きに発信されるため、トッププレート３の汚れ等に影響を受けることがなく、確実に光信号を発信してファン１９を連動させることができる。
なお、この場合も、排気口１２を通過部としているから、トッププレート３に手を加えることなく通過部を簡単に得ることができる。
【００１７】
そして、発光部は、上記形態では一対であるが、通信の確実性をより高めるために３つ以上設けても差し支えないし、逆に１つであっても良い。また、設置の向きも後ろ向きに限らず、器体内の他の構成部の配置によっては、左右方向や前方向、下向き等にしても反射板の採用によって通過部への誘導は可能である。
さらに、光信号の通過部として排気口を必ずしも利用するものに限らず、トッププレートに光信号通過専用の透孔を穿設して、そこに光信号を導くようにしても良い。なお、トッププレートが化粧印刷を施したガラス製であれば、これも通過部として透明部分を設けて、そこに光信号を通過させることもできる。
【００１８】
さらに、発光部の支持構造は、支持片以外に棒状体やソケット等の他の支持体を用いても良いし、支持させる場所も、トッププレートの裏面に限らず、グリル庫の側壁や器体の底板、器体の側板等、スペース的に可能であれば上記形態に限定するものではない。特に、器体側に発光部を設置すると、器体と別体のトッププレートに発光部が設けられる場合に比べて発光部への配線作業が楽になる。
加えて、換気装置の連動信号も、上記形態のように点火操作を契機として発信するものに限らず、消火操作時や安全装置（例えば鍋底の過熱防止装置等）の作動時の他のタイミングを契機としたものも含まれる。
そして、本発明はビルトインコンロに限らず、発光部を内設して上方の換気装置を連動させる加熱調理器であれば、テーブルこんろやグリル等にも適用可能である。
【図面の簡単な説明】
【００１９】
【図１】ビルトインコンロの平面図である。
【図２】ビルトインコンロの正面図である。
【図３】光信号の発信状態を示すビルトインコンロの側面図である。
【図４】発光部の他の設置例を示すビルトインコンロの側面図である。
【符号の説明】
【００２０】
１‥ビルトインコンロ、２‥器体、３‥トッププレート、４‥左こんろ部、５‥右こんろ部、６‥小こんろ部、７‥グリル、８‥扉、９‥点火ボタン、１０‥グリル庫、１１‥排気ダクト、１２‥排気口、１３‥発光部、１４‥支持片、１５‥後壁、１６‥反射板、１７‥レンジフード、１８‥受光部、１９‥ファン。
【図１】
2005180828.tif 000003
【図２】
2005180828.tif 000004
【図３】
2005180828.tif 000005
【図４】
2005180828.tif 000006